(57)【要約】【課題】火炎に晒されても押縁が外れにくい建具を提供する。【解決手段】室内外を連通する開口を閉塞可能であり、枠組みされた樹脂製の框体内に面材を備えた樹脂製建具であって、中空部を有し前記框体とともに前記面材の端部を保持する樹脂製の押縁と、前記框体に取り付けられ前記中空部に挿入されて前記押縁と係合する金属製の係合部材と、前記框体に固定され前記係合部材が係止される金属製の固定部材を有し、前記係合部材が前記固定部材に係止されることにより前記係合部材が前記框体に取り付けられている。【選択図】図２
2010255206.tif 000002
【特許請求の範囲】
【請求項１】
室内外を連通する開口を閉塞可能であり、枠組みされた樹脂製の框体内に面材を備えた樹脂製建具であって、
中空部を有し前記框体とともに前記面材の端部を保持する樹脂製の押縁と、
前記框体に取り付けられ前記中空部に挿入されて前記押縁と係合する金属製の係合部材と、
前記框体に固定され前記係合部材が係止される金属製の固定部材を有し、
前記係合部材が前記固定部材に係止されることにより前記係合部材が前記框体に取り付けられていること特徴とする樹脂製建具。
【請求項２】
請求項１に記載の樹脂製建具であって、
前記固定部材は前記面材の一方の面と対面する第１対面部を有し、
前記係合部材は前記面材の他方の面と対面する第２対面部を有することを特徴とする樹脂製建具。
【発明の詳細な説明】
【技術分野】
【０００１】
本発明は、面材を押さえる押縁を備えた樹脂製建具に関する。
【背景技術】
【０００２】
従来、樹脂製のサッシュ本体（框）に取り付けたガラスの縁部を覆うカバー部材（押縁）を備えた樹脂製建具が知られている（例えば、特許文献１参照）。このような樹脂製建具では、カバー部材がサッシュ本体に設けられた蟻溝部に係入されてガラスの縁部を覆っている。
【先行技術文献】
【特許文献】
【０００３】
【特許文献１】特許第２７８８１６７号明細書
【発明の概要】
【発明が解決しようとする課題】
【０００４】
上記のような樹脂製建具では、カバー部材（押縁）も樹脂にて形成されているので、樹脂製建具が火炎に晒されると火炎の熱により、カバー部材（押縁）が軟化されてサッシュ本体（框）から外れる虞があるという課題がある。
【０００５】
本発明は、かかる課題に鑑みてなされたものであり、その目的とするところは、火炎に晒されても押縁が外れにくい建具を提供することにある。
【課題を解決するための手段】
【０００６】
かかる目的を達成するために本発明の樹脂製建具は、室内外を連通する開口を閉塞可能であり、枠組みされた樹脂製の框体内に面材を備えた樹脂製建具であって、中空部を有し前記框体とともに前記面材の端部を保持する樹脂製の押縁と、前記框体に取り付けられ前記中空部に挿入されて前記押縁と係合する金属製の係合部材と、前記框体に固定され前記係合部材が係止される金属製の固定部材を有し、前記係合部材が前記固定部材に係止されることにより前記係合部材が前記框体に取り付けられていることを特徴とする樹脂製建具である。
【０００７】
このような樹脂製建具によれば、框体に取り付けられた金属製の係合部材が、面材の端部を保持する押縁が有する中空部に挿入されて係合しているので、たとえ火炎の熱により押縁が軟化されたとしても、押縁が框体から外れることを防止することが可能であり、面材が框体から外れることも防止することが可能である。さらに、係合部材は、直接框体に取り付けられておらず、固定部材に係止されることにより框体に取り付けられているので、框体に対して適宜着脱可能である。このため、組立性及びメンテナンス性に優れた樹脂製建具を提供することが可能である。
【０００８】
かかる樹脂製建具であって、前記固定部材は前記面材の一方の面と対面する第１対面部を有し、前記係合部材は前記面材の他方の面と対面する第２対面部を有することが望ましい。
【０００９】
このような樹脂製建具によれば、金属製の固定部材の第１対面部と、金属製の係合部材の第２対面部とにより面材が狭持されるので、火炎の熱により押縁が軟化しても押縁及び面材が外れることを防止することが可能である。
【発明の効果】
【００１０】
本発明によれば、火炎に晒されても押縁が外れにくい建具を提供することが可能である。
【図面の簡単な説明】
【００１１】
【図１】本実施形態に係る樹脂製建具を室内側から見た外観図である。
【図２】係合金具、固定金具、押縁の状態を説明するための断面図である。
【図３】係合金具と押縁との係合状態を説明するための斜視図である。
【図４】係合金具と固定金具とを説明するための斜視図である。
【発明を実施するための形態】
【００１２】
以下、本発明の一実施形態に係る樹脂製建具について図面を参照して説明する。  
本実施形態の樹脂製建具１は、図１に示すような引き違い窓用の樹脂製建具１であって、建物等にて室内外を連通する開口を形成する枠体１０と、枠体１０に支持されるとともに見付け方向に移動して開口を閉塞可能な２枚の障子２０とを有している。
【００１３】
以下の説明においては、樹脂製建具１を室内側から見たときに、上下となる方向を上下方向、左右となる方向を左右方向または見付け方向、室内外方向である奥行き方向を見込み方向として示す。また、枠体１０を構成する枠部材１２及び障子２０の框体２１を構成する框部材２２については、矩形状に枠組みされた枠体１０及び框体２１の状態にて、枠体１０及び框体２１に囲まれた内周側を内側、枠体１０及び框体２１の外周側を外側として示す。例えば、上側の枠部材１２及び框部材２２であれば、上面側を外側、下面側を内側として示す。
【００１４】
枠体１０は、樹脂製の押出成形部材である枠部材１２が所定の長さにて４５度に切断され、互いの端部同士が突き合わされて接合されることにより矩形状に形成されている。枠体１０の上下に配置されている枠部材１２には、障子２０（２０ａ、２０ｂ）が見付け方向に移動する際に案内されるレール（不図示）が設けられている。
【００１５】
２枚の障子２０（２０ａ、２０ｂ）は、いずれも上下に配置される横框２１ａ、２１ｂと左右に配置される縦框２１ｃ、２１ｄとが矩形状に枠組みされた框体２１と、框体２１にて囲まれた領域内に取り付けられる面材としてのガラス５０と、框体２１とともにガラス５０の周端部を保持する押縁６と、押縁６と係合する金属製の係合部材として係合金具３０と、を有している。
【００１６】
ガラス５０は、図２に示すように、２枚の耐熱強化ガラス５１を対面させるとともに互いに間隔を隔てて一体に形成した複層ガラスである。複層ガラスの周端部には、２枚の耐熱強化ガラス５１の間隔を保持するためのスペーサー５４が介在され、スペーサー５４の外周部分にシール剤５２が充填されている。
【００１７】
框体２１の上下の横框２１ａ、２１ｂ及び左右の縦框２１ｃ、２１ｄは、樹脂製の押出成形部材であり、框部材２２が所定の長さにて４５度に切断され、横框２１ａ、２１ｂの端部と縦框２１ｃ、２１ｄの端部とが突き合わされて接合されることにより矩形状の框体２１を構成している。
【００１８】
係合金具３０は、外障子２０ａ及び内障子２０ｂの左右の縦框２１ｃ、２１ｄとガラス５０との間にそれぞれ設けられており、各縦框２１ｃ、２１ｄの半分より上方側に２個ずつ設けられている。係合金具３０が設けられている部位における縦框２１ｃ、２１ｄとガラス５０との取り合い部分の構成は、いずれも同じなので、以下では、室内側から見た際に左側に位置する外障子２０ａの戸先框である左の縦框（以下、戸先框ともいう）２１ｃとガラス５０との取り合い部分を例に挙げて詳述する。
【００１９】
外障子２０ａの戸先框２１ｃは、長手方向に連通する中空部材であり、図２に示すように、見込み方向に並ぶ大小２つの中空部を有してほぼ矩形状をなす框本体部２３と、矩形状に枠組みされた框体２１の状態にて、框本体部２３の室外側の部位からガラス５０側、すなわち框体２１の内側に突出された框内側突出部２４と、框本体部２３から枠体１０側に突出された一対の突出部２５とを有している。
【００２０】
框内側突出部２４は、ガラス５０の周端部と対向し、押縁６とともにガラス５０の周端部を狭持する部位であり、框内側突出部２４の室内側に臨む面２４ａ、すなわちガラス５０と対向する部位にビード５３が設けられている。
【００２１】
框本体部２３の室内側における内周側の部位には、押縁６が嵌合される押縁嵌合部２６が設けられている。このため、框本体部２３、框内側突出部２４、及び、押縁６にて形成される凹部にガラス５０の周端部が収容される。本実施形態における押縁嵌合部２６は、後述する係合金具３０を取り付けるときに係合金具３０と干渉する部位２６ａが切り欠かれている。
【００２２】
押縁６は、長手方向に連通する中空部材であり、図２、図３に示すように、中空部６ｅを有する押縁本体６ａと、戸先框２１ｃに嵌合された状態にて、押縁本体６ａの室外側に突出されビード５３が取り付けられるビード取付部６ｂと、押縁本体６ａの戸先框２１ｃ側に突出され戸先框２１ｃに嵌合される嵌合片６ｃと、を有している。
【００２３】
また、押縁６の室外側の嵌合片６ｃが形成されている部位には、図３に示すように、係合金具３０の押縁係合部３０ｃが挿入される連通孔６ｄが嵌合片６ｃの一部が切り欠かれた切欠部６ｆに形成されている。連通孔６ｄは、押縁６の長手方向において半分より上方側となる２カ所に設けられており、押縁６が有する中空部６ｅの内外を連通するように形成されている。
【００２４】
係合金具３０は、図３、図４に示すように、戸先框２１ｃに固定される金属製の固定部材としての固定金具３５に係止されて取り付けられている。以下、係合金具３０及び固定金具３５の説明は、係合金具３０及び固定金具３５が戸先框２１ｃに取り付けられた状態にて、上下となる方向を上下方向とし、室内外方向となる方向を見込み方向として説明する。
【００２５】
戸先框２１ｃに固定された固定金具３５は、図４に示すように、戸先框２１ｃの長手方向に間隔を隔てて配置され戸先框２１ｃにおける框本体部２３の内側面２３ａに当接される２つの座板部３５ａと、２つの座板部３５ａにおける見込み方向の室外側の縁同士を繋ぎ座板部３５ａとほぼ直角をなす第１対面部としての側壁部３５ｂと、２つの座板部３５ａの間に設けられ側壁部３５ｂから見込み方向において室内側に突出された平板部３５ｃと、を有している。
【００２６】
座板部３５ａには、固定金具３５を戸先框２１ｃに固定するためのビスが貫通される固定孔３５ｄが形成されている。平板部３５ｃは、座板部３５ａとほぼ平行に形成され、固定金具３５が戸先框２１ｃに固定された際に、座板部３５ａより内側、すなわち内側面２３ａから框体２１に囲まれた領域の中央側に離れた側に位置するように形成されている。座板部３５ａと平板部３５ｃとは見付け方向において重ならないように形成されるとともに、座板部３５ａの内側面と平板部３５ｃの外側面との間には、係合金具３０が挿入可能な間隔を有している。また、平板部３５ｃには、矩形状の貫通孔でなり係合金具３０を係止するための係止部３５ｅが設けられている。
【００２７】
係合金具３０は、座板部３５ａと平板部３５ｃとの間に挿入される挿入板部３０ａと、
挿入板部３０ａの室内側の縁と繋がって挿入板部３０ａとほぼ直角をなし戸先框２１ｃの長手方向に間隔を隔てて設けられた２つの対向板部３０ｂと、２つの対向板部３０ｂの間に設けられ、対向板部３０ｂとほぼ平行をなすとともに対向板部３０ｂより室内側に設けられた押縁係合部３０ｃと、押縁係合部３０ｃの外側の縁と挿入板部３０ａの室内側の縁とを連結し、押縁係合部３０ｃ及び挿入板部３０ａとのなす角度がほぼ４５度をなす連結部３０ｄと、挿入板部３０ａのほぼ中央に設けられ固定金具３５の係止部３５ｅに係止される係止片３０ｅと、を有している。ここで、対向板部３０ｂは、係合金具３０が固定金具３５に係止された際に側壁部３５ｂとほぼ平行な状態にてガラス５０と対向する第２対面部の一例である。
【００２８】
係止片３０ｅは、室外側から室内側に向かって挿入板部３０ａから離れる方向に傾斜するように、挿入板部３０ａから切り起こされて形成されている。
【００２９】
そして、戸先框２１ｃに固定金具３５がビスにて固定された状態にてガラス５０が配置された後に、係合金具３０の挿入板部３０ａが座板部３５ａと平板部３５ｃとの間に挿入されて係合金具３０が係止される。このとき挿入板部３０ａが挿入されて係止片３０ｅが平板部３５ｃと接触し、さらに係合金具３０を固定金具３５側に押圧することにより係止片３０ｅが挿入板部３０ａ側に押されて弾性変形しつつ挿入板部３０ａが座板部３５ａと平板部３５ｃとの間に進入していく。
【００３０】
その後、係止片３０ｅが係止部３５ｅと対向する位置に至ると、押し曲げられていた係止片３０ｅが弾性により復帰して係止部３５ｅに係止される。このように係合金具３０が固定金具３５に、係止された状態にて、固定金具３５の側壁部３５ｂがガラス５０の室外側の面と対面し、係合金具３０の対向板部３０ｂがガラス５０の室内側の面と対面して、ガラス５０が保持される。
【００３１】
また、このとき、押縁係合部３０ｃは、対向板部３０ｂより室内側にて押縁係合部３０ｃの先端がガラス５０の中央側に突出している。
【００３２】
係合金具３０が固定金具３５に係止された後に、押縁６をガラス５０の中央側から端部側に移動させつつ、押縁係合部３０ｃを連通孔６ｄに挿入するとともに嵌合片６ｃを押縁嵌合部２６に嵌合させる。このとき、押縁６が嵌合されることにより、ビード５３がガラス５０に押圧され、その反力が押縁６に作用するが、押縁６の中空部６ｅに挿入され中空部６ｅの内壁６ｇと当接している押縁係合部３０ｃの弾性力により押縁６がガラス５０側に付勢されている。
【００３３】
本実施形態の樹脂製建具１によれば、框体２１に固定された固定金具３５を介して框体２１に取り付けられた係合金具３０が、ガラス５０の端部を保持する押縁６が有する中空部６ｅに挿入されて係合しているので、たとえ、火炎の熱により押縁６が軟化したとしても、押縁６が框体２１から外れることを防止することが可能であり、ガラス５０が框体２１から外れることも防止することが可能である。
【００３４】
また、係合金具３０は、直接框体２１に取り付けられておらず、固定金具３５に係止されることにより框体２１に取り付けられているので、框体２１に対して適宜着脱可能である。このため、組立性及びメンテナンス性に優れた樹脂製建具１を提供することが可能である。
【００３５】
また、係合金具３０は縦框２１ｃ、２１ｄに取り付けられているので、たとえ、火炎に晒されて框体２１が軟化し、縦框２１ｃ、２１ｄに嵌合されている押縁６も軟化したとしても、押縁６は外れず、ガラス５０の見付け方向の端部が上下方向に沿って保持される。このため、例えば、上框２１ａ側だけ保持されてガラス５０が吊られた状態となったり、下框２１ｂ側だけ保持されてガラス５０が下端だけで支持された状態とはならないので、火炎の熱により押縁６が軟化されたとしても、ガラス５０がより外れ難い樹脂製建具１を提供することが可能である。
【００３６】
また、樹脂製建具１が火炎に晒された際には、樹脂製建具１の上部側の方がより高温になり易いので、係合金具３０が縦框２１ｃ、２１ｄの上部に取り付けられていると、高温になり易い上部側にて、押縁６の外れを効果的に防止することが可能である。
【００３７】
また、固定金具３５の側壁部３５ｂと係合金具３０の対向板部３０ｂとによりガラス５０が狭持されるので、火炎の熱により押縁６が軟化しても押縁６が外れることのみならずガラス５０が外れることも防止することが可能である。
【００３８】
上記実施形形態においては、係合金具３０がガラス５０と対向する対向板部３０ｂを有する構成としたが、対向板部３０ｂは必ずしも設けられていなくても構わない。また、押縁６の中空部６ｅに挿入された押縁係合部３０ｃが中空部６ｅの内壁６ｇと当接し、弾性力により押縁６がガラス５０側に付勢されている例について説明したが、押縁係合部３０ｃは必ずしも中空部６ｅの内壁６ｇと当接していなくても良く、また、押縁６が弾性力によりガラス５０側に付勢されていなくても良い。例えば、押縁６が取り付けられた状態では、中空部６ｅに押縁係合部３０ｃが挿入されており、火炎により軟化したときに押縁係合部３０ｃが押縁６を支えるように構成されていても構わない。
【００３９】
上記実施形態においては、引き違い用の樹脂製建具１を例に挙げて説明したが、これに限らず、開き窓や片引き窓および上げ下げ窓などのスライド形式の窓や、取り付けることにより開口が閉塞される嵌殺し窓などの面材を押さえる押縁を備えた樹脂製建具であれば構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  樹脂製建具、６  押縁、６ｄ  連通孔、６ｅ  中空部、２１  框体、
２１ａ、２１ｂ  横框、２１ｃ、２１ｄ  縦框、３０  係合金具、３０ｂ  対向板部、
３０ｃ  押縁係合部、３０ｅ  係止片、３５  固定金具、３５ｂ  側壁部、
３５ｅ  係止部、５０  ガラス、
【図１】
2010255206.tif 000003
【図２】
2010255206.tif 000004
【図３】
2010255206.tif 000005
【図４】
2010255206.tif 000006